(57)【要約】【課題】利用者や工事保守設定者が設定しなくても自動で適切な設定を行うことができる通信制御装置を提供する。【解決手段】ＨＧＷ２０は、通信網１０と接続される通信部２３と、電話機３０と接続される入出力部２４と、ナンバーディスプレイ契約の有無を示す設定情報を記憶する記憶部２１と、記憶部２１にナンバーディスプレイ契約が有る旨の設定情報が記憶されている場合、入出力部２４を介してＣＡＲ信号を送出した後、その応答信号を所定時間以内に受信しないときは、記憶部２１に記憶されている設定情報をナンバーディスプレイ契約が無い旨の設定情報に変更する制御部２２とを備える。【選択図】図２
2015201746.tif 000002
【特許請求の範囲】
【請求項１】
通信網と接続される通信部と、
情報受信端末と接続される入出力部と、
ナンバーディスプレイ契約の有無を示す設定情報を記憶する記憶部と、
前記記憶部にナンバーディスプレイ契約が有る旨の設定情報が記憶されている場合、前記入出力部を介して情報受信端末起動信号を送出した後、その応答信号を所定時間以内に受信しないときは、前記記憶部に記憶されている設定情報をナンバーディスプレイ契約が無い旨の設定情報に変更する制御部と
を備えることを特徴とする通信制御装置。
【請求項２】
前記制御部は、前記通信部を介して前記通信網から所定の制御信号を受信すると、その制御信号を分析することによりナンバーディスプレイ契約の有無を判断し、その判断結果に対応する設定情報を前記記憶部に設定することを特徴とする請求項１に記載の通信制御装置。
【請求項３】
前記制御部は、初回着信時に限り、前記記憶部に記憶されている設定情報を更新することを特徴とする請求項１又は２に記載の通信制御装置。
【発明の詳細な説明】
【技術分野】
【０００１】
本発明は、ひかり電話対応ルータなどの通信制御装置に関し、特に、通信制御装置の設定を自動で行うための技術に関する。
【背景技術】
【０００２】
現在、ひかり電話の付加サービスとして、かけてきた相手の電話番号を電話機のディスプレイに表示するナンバーディスプレイ（以降、ＮＤ）と呼ばれるサービスがある（例えば、特許文献１、２参照）。ひかり電話対応ルータ（以降、ＨＧＷ）では、ＮＤを実現するため、当該アナログポートに情報受信端末起動信号（以降、ＣＡＲ信号）を送出し、電話機などの情報受信端末に発信者番号を通知するようになっている。ＨＧＷには、当該アナログポートに対してＣＡＲ信号を送出するか否かの設定（ＮＤ契約が有るか無いかの設定）を行うことができる。
【先行技術文献】
【特許文献】
【０００３】
【特許文献１】特開２０１１−１６００２５号公報
【特許文献２】特開２００７−２８０５７号公報
【発明の概要】
【発明が解決しようとする課題】
【０００４】
ところで、ＨＧＷの設定は利用者や工事保守設定者が行う必要があるため、ＨＧＷの設定忘れや設定誤りが生じるおそれがある。ＨＧＷの設定とＨＧＷに接続されている電話機の能力とが一致する場合は問題ないが、一致しない場合は問題が起こる。
【０００５】
ここでいうＨＧＷの設定とは、ＮＤ契約が有るか無いかの設定であり、以降、ＮＤ契約が有ることを「ＮＤ有り」、ＮＤ契約が無いことを「ＮＤ無し」と記載する。また、電話機の能力とは、ＮＤに対応しているか否かを示す能力（仕様）であり、以降、ＮＤに対応していることを「ＮＤ対応」、ＮＤに対応していないことを「ＮＤ未対応」と記載する。
【０００６】
図１０は、従来の問題を説明するための図である。ここでは、ＮＤ契約が有る場合を想定している。このような場合において、通信網１００側のＳＩＰサーバ１０１からＩＮＶＩＴＥ信号が送出され、そのＩＮＶＩＴＥ信号を受信したＨＧＷ２００が電話機３００に対して呼出信号やＣＡＲ信号を送出する様子を示している。
【０００７】
まず、図１０（ａ）に示すように、ＨＧＷ２００の設定が「ＮＤ無し」、電話機３００の能力が「ＮＤ対応」である場合は、ＨＧＷ２００から電話機３００にＣＡＲ信号が送出されない。すなわち、電話機３００がＮＤに対応しているにもかかわらず、電話機３００に発信者番号（発信者情報）が表示されないという問題１が起こる。
【０００８】
また、図１０（ｂ）に示すように、ＨＧＷ２００の設定が「ＮＤ有り」、電話機３００の能力が「ＮＤ未対応」である場合は、電話機３００がＮＤに対応していないにもかかわらず、例えば６秒間、ＨＧＷ２００から電話機３００にＣＡＲ信号が送出される。この場合、電話機３００はＮＤに対応していないため、ＣＡＲ信号に対して応答しない。そのため、オフフックのタイミングで着信できないという問題２が起こる。
【０００９】
本発明は、上述した従来の技術に鑑み、利用者や工事保守設定者が設定しなくても自動で適切な設定を行うことができる通信制御装置を提供することを目的とする。
【課題を解決するための手段】
【００１０】
上記目的を達成するため、第１の態様に係る発明は、通信制御装置であって、通信網と接続される通信部と、情報受信端末と接続される入出力部と、ナンバーディスプレイ契約の有無を示す設定情報を記憶する記憶部と、前記記憶部にナンバーディスプレイ契約が有る旨の設定情報が記憶されている場合、前記入出力部を介して情報受信端末起動信号を送出した後、その応答信号を所定時間以内に受信しないときは、前記記憶部に記憶されている設定情報をナンバーディスプレイ契約が無い旨の設定情報に変更する制御部とを備えることを要旨とする。
【００１１】
第２の態様に係る発明は、第１の態様に係る発明において、前記制御部が、前記通信部を介して前記通信網から所定の制御信号を受信すると、その制御信号を分析することによりナンバーディスプレイ契約の有無を判断し、その判断結果に対応する設定情報を前記記憶部に設定することを要旨とする。
【００１２】
第３の態様に係る発明は、第１又は第２の態様に係る発明において、前記制御部が、初回着信時に限り、前記記憶部に記憶されている設定情報を更新することを要旨とする。
【発明の効果】
【００１３】
本発明によれば、利用者や工事保守設定者が設定しなくても自動で適切な設定を行うことができる通信制御装置を提供することが可能である。
【図面の簡単な説明】
【００１４】
【図１】本発明の実施の形態における通信システムの構成図である。
【図２】本発明の実施の形態におけるＨＧＷの機能ブロック図である。
【図３】本発明の実施の形態におけるＨＧＷの初回着信時のフローチャートである。
【図４】本発明の実施の形態における通信システムのシーケンス図（具体例１）である。
【図５】本発明の実施の形態における通信システムのシーケンス図（具体例２）である。
【図６】本発明の実施の形態における通信システムのシーケンス図（具体例３）である。
【図７】本発明の実施の形態における通信システムのシーケンス図（具体例４）である。
【図８】本発明の実施の形態におけるＨＧＷが備えるＮＤ設定テーブルの構成図である。
【図９】本発明の実施の形態におけるＨＧＷがＮＤ契約の有無を判断する手法を説明するための図であって、（ａ）ＮＤ契約が有る場合のＩＮＶＩＴＥリクエスト、（ｂ）ＮＤ契約が無い場合のＩＮＶＩＴＥリクエスト。
【図１０】従来の問題を説明するための図であって、（ａ）問題１が起こる場合、（ｂ）問題２が起こる場合。
【発明を実施するための形態】
【００１５】
以下、本発明の実施の形態について図面を参照して詳細に説明する。なお、以下の実施の形態は、この発明の技術的思想を具体化するための通信制御装置を例示するものであり、装置の構成やデータの構造などは、以下の実施の形態に限定されるものではない。
【００１６】
（通信システムの構成）
図１は、本発明の実施の形態における通信システムの構成図である。この通信システムは、図１に示すように、通信網１０側のＳＩＰサーバ１１と、ＨＧＷ２０と、電話機３０とを備える。ＳＩＰサーバ１１は、ＳＩＰ（Session Initiation Protocol）を利用したＩＰ電話サービスの管理・制御を行うサーバである。ＨＧＷ２０は、ＳＩＰのやり取りをアナログ信号に変換するひかり電話対応ルータなどの通信制御装置であり、例えば２つのアナログポートを備える。電話機３０は、ＨＧＷ２０のアナログポートに接続される情報受信端末である。
【００１７】
（ＨＧＷの構成）
図２は、本発明の実施の形態におけるＨＧＷ２０の機能ブロック図である。この図に示すように、ＨＧＷ２０は、記憶部２１と、制御部２２と、通信部２３と、入出力部２４とを備える。通信部２３は、通信網１０に接続するための通信装置である。入出力部２４は、電話機３０と接続されるアナログポートである。記憶部２１は、ＮＤ契約の有無を示す設定情報（ＮＤ設定テーブル２１Ａ）を記憶する記憶装置である。制御部２２は、ＮＤ設定処理など、ＨＧＷ２０における各種の制御処理を行う演算装置である。この制御部２２は、待ちタイミング（後述する。）を計測するための待ち時間計測タイマ２２Ａを実装している。
【００１８】
ＨＧＷ２０は、通信網１０からのＩＮＶＩＴＥ信号によりＮＤ契約の有無を判断する。その結果、ＮＤ契約が有ると判断した場合は、ＮＤ設定の初期値として「ＮＤ有り」をＮＤ設定テーブル２１Ａに設定する。一方、ＮＤ契約が無いと判断した場合は、ＮＤ設定の初期値として「ＮＤ無し」をＮＤ設定テーブル２１Ａに設定する。このようにすれば、通信網１０からのＩＮＶＩＴＥ信号によりＨＧＷ２０側のＮＤ設定の初期値を設定することができる。
【００１９】
また、ＨＧＷ２０は、初回着信時、所定時間以内（ＣＡＲ受信中）に電話機３０が応答しない場合、その電話機３０がＮＤに対応していないとみなしてＮＤ設定を「ＮＤ無し」に変更する。一方、所定時間以内に電話機３０が応答した場合、その電話機３０がＮＤに対応しているとみなしてＮＤ設定を「ＮＤ有り」のままとする（ＮＤ設定を変更しない）。このようにすれば、電話機３０の能力に従いＨＧＷ２０側のＮＤ設定を変更することができる。
【００２０】
なお、「初回着信時」とは、ＨＧＷ２０が設置された後に初めて着信した時を意味する。ただし、ＨＧＷ２０が初期化された場合など、ＨＧＷ２０の設定がリセットされた場合は、その後に初めて着信した時を「初回着信時」とする。
【００２１】
（ＨＧＷの初回着信時の動作）
図３は、本発明の実施の形態におけるＨＧＷ２０の初回着信時のフローチャートである。
【００２２】
まず、ＨＧＷ２０の通信部２３は、初回着信時、通信網１０からＩＮＶＩＴＥ信号を受信すると（Ｓ１）、そのＩＮＶＩＴＥ信号を制御部２２に渡す。制御部２２は、通信部２３からのＩＮＶＩＴＥ信号を分析することによりＮＤ契約の有無を判断する（Ｓ２）。その結果、ＮＤ契約が有ると判断した場合は（Ｓ２：Ｙｅｓ）、ＨＧＷ２０の設定、すなわちＮＤ設定テーブル２１Ａの設定を「ＮＤ有り」に設定し（Ｓ３）、入出力部２４を介して電話機３０にＣＡＲ信号を送出する。また、このようにＣＡＲ信号を送出した後、電話機３０から一次応答信号を受信するまでの時間を計測し、６秒以内に電話機３０から一次応答信号を受信した場合は（Ｓ４：Ｙｅｓ）、入出力部２４を介して電話機３０に呼出信号を送出する（Ｓ５）。一方、ＮＤ契約が無いと判断した場合や（Ｓ２：Ｎｏ）、６秒以内に電話機３０から一次応答信号を受信しなかった場合は（Ｓ４：Ｎｏ）、ＨＧＷ２０の設定を「ＮＤ無し」に設定し（Ｓ６）、入出力部２４を介して電話機３０に呼出信号を送出する（Ｓ５）。このように設定された内容は保存され、以降の処理で利用されるようになっている。
【００２３】
（具体例１：ＮＤ契約有り、電話機ＮＤ対応）
図４は、本発明の実施の形態における通信システムのシーケンス図である。ここでは、ＮＤ契約が有り、電話機３０がＮＤ対応である場合について説明する。
【００２４】
この図に示すように、通信網１０からＨＧＷ２０にＩＮＶＩＴＥ信号が送出されると（Ｓ１１）、ＨＧＷ２０は、そのＩＮＶＩＴＥ信号を分析することによりＮＤ契約の有無を判断し、ＨＧＷ２０の設定を「ＮＤ有り」に変更する（Ｓ１２）。
【００２５】
以降の破線内に示すステップＳ１３〜Ｓ２１は通常のシーケンスである。すなわち、ＨＧＷ２０は、電話機３０を起動するため、Ｌ１，Ｌ２の極性を反転した後、ＣＡＲ信号を送出する（Ｓ１３→Ｓ１４）。Ｌ１，Ｌ２は、電話機３０に対して通信用の直流電源を供給するための２線である。次いで、ＨＧＷ２０は、電話機３０から一次応答信号（直流ループ）を受信すると、ＭＯＤＥＭ信号を送出する（Ｓ１５→Ｓ１６）。さらに、ＨＧＷ２０は、電話機３０から受信完了信号（直流ループ断）を受信すると、電話機３０に呼出信号を送出する同時に、発信側である通信網１０へ呼出音を送出する（Ｓ１７→Ｓ１８）。これにより、電話機３０がオフフックとなり、電話機３０から二次応答信号（直流ループ）を受信すると、通信パスを形成する（Ｓ１９→Ｓ２０→Ｓ２１）。
【００２６】
（具体例２：ＮＤ契約有り、電話機ＮＤ未対応）
図５は、本発明の実施の形態における通信システムのシーケンス図である。ここでは、ＮＤ契約が有り、電話機３０がＮＤ未対応である場合について説明する。
【００２７】
この図に示すように、通信網１０からＨＧＷ２０にＩＮＶＩＴＥ信号が送出されると（Ｓ３１）、ＨＧＷ２０は、そのＩＮＶＩＴＥ信号を分析することによりＮＤ契約の有無を判断し、ＨＧＷ２０の設定を「ＮＤ有り」に変更する（Ｓ３２）。次いで、ＨＧＷ２０は、Ｌ１，Ｌ２の極性を反転した後、ＣＡＲ信号を送出する（Ｓ３３→Ｓ３４）。その結果、待ちタイミング以内に電話機３０から一次応答信号が返ってこなかったので、ＨＧＷ２０の設定を「ＮＤ無し」に変更する（Ｓ３５→Ｓ３６）。この待ちタイミングは、ＣＡＲ信号を送出してから例えば６秒であり、待ち時間計測タイマ２２Ａにより計測される。
【００２８】
以降の破線内に示すステップＳ３７〜Ｓ４０は通常のシーケンスである。すなわち、ＨＧＷ２０は、電話機３０に呼出信号を送出する同時に、発信側である通信網１０へ呼出音を送出する（Ｓ３７）。これにより、電話機３０がオフフックとなり、電話機３０から二次応答信号を受信すると、通信パスを形成する（Ｓ３８→Ｓ３９→Ｓ４０）。
【００２９】
（具体例３：ＮＤ契約無し、電話機ＮＤ対応）
図６は、本発明の実施の形態における通信システムのシーケンス図である。ここでは、ＮＤ契約が無し、電話機３０がＮＤ対応である場合について説明する。
【００３０】
この図に示すように、通信網１０からＨＧＷ２０にＩＮＶＩＴＥ信号が送出されると（Ｓ５１）、ＨＧＷ２０は、そのＩＮＶＩＴＥ信号を分析することによりＮＤ契約の有無を判断し、ＨＧＷ２０の設定を「ＮＤ無し」に変更する（Ｓ５２）。
【００３１】
以降の破線内に示すステップＳ５３〜Ｓ５６は通常のシーケンスである。すなわち、ＨＧＷ２０は、電話機３０に呼出信号を送出する同時に、発信側である通信網１０へ呼出音を送出する（Ｓ５３）。これにより、電話機３０がオフフックとなり、電話機３０から二次応答信号を受信すると、通信パスを形成する（Ｓ５４→Ｓ５５→Ｓ５６）。
【００３２】
（具体例４：ＮＤ契約無し、電話機ＮＤ未対応）
図７は、本発明の実施の形態における通信システムのシーケンス図である。ここでは、ＮＤ契約が無し、電話機３０がＮＤ未対応である場合について説明する。
【００３３】
この図に示すように、通信網１０からＨＧＷ２０にＩＮＶＩＴＥ信号が送出されると（Ｓ７１）、ＨＧＷ２０は、そのＩＮＶＩＴＥ信号を分析することによりＮＤ契約の有無を判断し、ＨＧＷ２０の設定を「ＮＤ無し」に変更する（Ｓ７２）。
【００３４】
以降の破線内に示すステップＳ７３〜Ｓ７６は通常のシーケンスである。すなわち、ＨＧＷ２０は、電話機３０に呼出信号を送出する同時に、発信側である通信網１０へ呼出音を送出する（Ｓ７３）。これにより、電話機３０がオフフックとなり、電話機３０から二次応答信号を受信すると、通信パスを形成する（Ｓ７４→Ｓ７５→Ｓ７６）。
【００３５】
（ＮＤ設定テーブル）
図８は、本発明の実施の形態におけるＨＧＷ２０が備えるＮＤ設定テーブル２１Ａの構成図である。この図に示すように、ＮＤ設定テーブル２１Ａは、アナログポート番号とＨＧＷ＿ＮＤ設定とを対応付けて記憶している。アナログポート番号とは、ＨＧＷ２０の入出力部２４であるアナログポートの番号である。ＨＧＷ＿ＮＤ設定とは、ＮＤ契約が有るか無いかを示す設定情報である。このようなＮＤ設定テーブル２１Ａの設定情報は、初回着信時であることを前提とし、以下の（１）（２）を契機として更新（設定、変更）される。
【００３６】
（１）ＳＩＰサーバ１１からＨＧＷ２０にＩＮＶＩＴＥ信号が送出され、ＨＧＷ２０においてＮＤ契約の有無が判断された時
（２）ＮＤ契約有りと判断された場合にＨＧＷ２０からＣＡＲ信号が送出され、ＨＧＷ２０において電話機３０からの応答有無が判断された時
（ＩＮＶＩＴＥリクエスト）
図９は、本発明の実施の形態におけるＨＧＷ２０がＮＤ契約の有無を判断する手法を説明するための図である。具体的には、図９（ａ）は、ＮＤ契約が有る場合のＩＮＶＩＴＥリクエスト（ＩＮＶＩＴＥ信号）を示し、図９（ｂ）は、ＮＤ契約が無い場合のＩＮＶＩＴＥリクエストを示している。
【００３７】
ＨＧＷ２０の制御部２２は、ＩＮＶＩＴＥリクエストのＦＲＯＭヘッダにおけるｕｓｅｒフィールドの文字列Ｃを分析することによりＮＤ契約の有無を判断する。例えば、図９（ａ）に示すように、文字列Ｃが「０６ＸＸＸＸＸＸＸＸ」である場合、この文字列Ｃは着信番号情報であると分析し、ＮＤ契約が有ると判断するようになっている。一方、図９（ｂ）に示すように、文字列Ｃが「ａｎｏｎｙｍｏｕｓ」である場合、この文字列Ｃは着信番号情報でないと分析し、ＮＤ契約が無いと判断するようになっている。
【００３８】
以上説明したように、本発明の実施の形態におけるＨＧＷ２０によれば、利用者や工事保守設定者が設定しなくても自動で適切な設定を行うことが可能である。
【００３９】
すなわち、ＨＧＷ２０は、通信網１０と接続される通信部２３と、電話機３０と接続される入出力部２４と、ＮＤ契約の有無を示す設定情報を記憶する記憶部２１と、記憶部２１にＮＤ契約が有る旨の設定情報が記憶されている場合、入出力部２４を介してＣＡＲ信号を送出した後、その応答信号を所定時間以内に受信しないときは、記憶部２１に記憶されている設定情報をＮＤ契約が無い旨の設定情報に変更する制御部２２とを備える。これにより、ＨＧＷ２０の設定が「ＮＤ有り」、電話機３０の能力が「ＮＤ未対応」である場合は、具体例２（図５）に示したように、自動でＨＧＷ２０の設定が「ＮＤ無し」に変更される。そのため、従来のように、ＮＤ非対応の電話機３０である場合にオフフックのタイミングで着信できないという問題２が起こらない。
【００４０】
また、制御部２２は、通信部２３を介して通信網１０から所定の制御信号（ＩＮＶＩＴＥ信号）を受信すると、その制御信号を分析することによりＮＤ契約の有無を判断し、その判断結果に対応する設定情報を記憶部２１に設定してもよい。これにより、電話機３０の能力が「ＮＤ対応」である場合は、具体例１（図４）に示したように、自動でＨＧＷ２０の設定が「ＮＤ有り」に設定される。そのため、従来のように、電話機３０がＮＤに対応しているにもかかわらず、電話機３０に発信者番号が表示されないという問題１が起こらない。
【００４１】
さらに、制御部２２は、初回着信時に限り、記憶部２１に記憶されている設定情報を更新してもよい。これにより、ＮＤ未対応の電話機３０に対して初回着信時でない場合にＣＡＲ信号を送出する不都合を回避することが可能である。
【００４２】
なお、本発明は、ＨＧＷ２０として実現することができるだけでなく、このようなＨＧＷ２０が備える特徴的な処理部をステップとするＮＤ自動設定方法として実現したり、それらのステップをコンピュータに実行させるＮＤ自動設定プログラムとして実現したりすることもできる。このようなプログラムは、ＣＤ−ＲＯＭ等の記録媒体やインターネット等の伝送媒体を介して配信することができるのはいうまでもない。
【符号の説明】
【００４３】
１０…通信網
２０…ＨＧＷ（通信制御装置）
２１…記憶部
２２…制御部
２３…通信部
２４…入出力部（アナログポート）
３０…電話機
【図１】
2015201746.tif 000003
【図２】
2015201746.tif 000004
【図３】
2015201746.tif 000005
【図４】
2015201746.tif 000006
【図５】
2015201746.tif 000007
【図６】
2015201746.tif 000008
【図７】
2015201746.tif 000009
【図８】
2015201746.tif 000010
【図９】
2015201746.tif 000011
【図１０】
2015201746.tif 000012
【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
通信網と接続される通信部と、
情報受信端末と接続される入出力部と、
ナンバーディスプレイ契約の有無を示す設定情報を記憶する記憶部と、
前記記憶部にナンバーディスプレイ契約が有る旨の設定情報が記憶されている場合、前記入出力部を介して情報受信端末起動信号を送出した後、その応答信号を所定時間以内に受信しないときは、前記記憶部に記憶されている設定情報をナンバーディスプレイ契約が無い旨の設定情報に変更する制御部と
を備え、
前記制御部は、初回着信時に限り、前記記憶部に記憶されている設定情報を更新する
ことを特徴とする通信制御装置。
【請求項２】
前記制御部は、前記通信部を介して前記通信網から所定の制御信号を受信すると、その制御信号を分析することによりナンバーディスプレイ契約の有無を判断し、その判断結果に対応する設定情報を前記記憶部に設定することを特徴とする請求項１に記載の通信制御装置。
【手続補正２】
【補正対象書類名】明細書
【補正対象項目名】００１０
【補正方法】変更
【補正の内容】
【００１０】
上記目的を達成するため、第１の態様に係る発明は、通信制御装置であって、通信網と接続される通信部と、情報受信端末と接続される入出力部と、ナンバーディスプレイ契約の有無を示す設定情報を記憶する記憶部と、前記記憶部にナンバーディスプレイ契約が有る旨の設定情報が記憶されている場合、前記入出力部を介して情報受信端末起動信号を送出した後、その応答信号を所定時間以内に受信しないときは、前記記憶部に記憶されている設定情報をナンバーディスプレイ契約が無い旨の設定情報に変更する制御部とを備え、前記制御部は、初回着信時に限り、前記記憶部に記憶されている設定情報を更新することを要旨とする。
【手続補正３】
【補正対象書類名】明細書
【補正対象項目名】００１２
【補正方法】削除
【補正の内容】